(57)【要約】【課題】四方差しのパレットの場合、パレットに対して四方向のいずれからフォークリフトの爪が挿入されても、デッキボード上の荷物が滑り落ちることを阻止でき、安定した状態で荷物を運搬でき、また、簡単な部材を加えるだけで棚板としても利用でき有効活用が図れるパレットを得る。【解決手段】連結金物４で方形に組んだ枠材３の内側に、上面に細かな凹凸を突条などによって形成した押出型材による長尺なデッキボード２の複数枚を前記枠材３に対して斜め方向に並列させて設けた。【選択図】        図１
2008100726.tif 000002
【特許請求の範囲】
【請求項１】
連結金物で方形に組んだ枠材の内側に、上面に細かな凹凸を形成した押出型材による長尺なデッキボードの複数枚を前記枠材に対して斜め方向に並列させて設けたことを特徴とするフォークリフト用のパレット。
【請求項２】
コーナーに位置する連結金物に支柱立設用の孔を形成し、この孔に支柱の下部を挿入し、この支柱の上部に上パレットを取付けて棚体に形成する請求項１記載のフォークリフト用のパレット。
【発明の詳細な説明】
【技術分野】
【０００１】
本発明は、フォークリフト用のパレットに関するものである。
【背景技術】
【０００２】
フォークリフトを用いて荷物を運搬する際に使用するパレットは、従来、周知のように間隔をおいて配列した複数の上面デッキボードと同じく間隔をおいて配列した複数の下面デッキボードとを例えば左右および中間位置で桁材で連結するもので、荷物を運搬するには上面デッキボードの上に荷物を載置し、上下のデッキボート間の隙間にフォークリフトの爪を差込んで、移動する（例えば特許文献１参照）。
【０００３】
上下のデッキボードは、フォークリフトの爪の差込方向とは直交する方向に並列され、デッキボード上の荷物が運搬途中で滑り落ちないようにしている。
【特許文献１】特開２００５−４１４９７号公報
【発明の開示】
【発明が解決しようとする課題】
【０００４】
パレットが二方差しのタイプの場合は、デッキボードの配列方向を爪の挿入方向と直交する方向に必ず設定することができるが、四方差しのパレットの場合は、複数のデッキボードを同方向に並列する構造では、配列方向と同方向に爪を差込んだとき、差込む方向がデッキボードの配列方向とが同じになる。その結果、運搬途中でデッキボード上の荷物が滑り落ちるおそれが高くなる。
【０００５】
また、パレットは棚板の形状であるが、パレットとしての使用以外に用途はなく、有効活用が図られていない。
【０００６】
本発明の目的は前記従来例の不都合を解消し、パレットに対して四方向のいずれからフォークリフトの爪が挿入されても、デッキボード上の荷物が滑り落ちることを阻止でき、安定した状態で荷物を運搬でき、また、棚板としても利用でき有効活用が図れるパレットを提供することにある。
【課題を解決するための手段】
【０００７】
本発明は前記目的を達成するものとして、請求項１記載の発明は、連結金物で方形に組んだ枠材の内側に、上面に細かな凹凸を形成した押出型材による長尺なデッキボードの複数枚を前記枠材に対して斜め方向に並列させて設けたことを要旨とするものである。
【０００８】
請求項１記載の本発明によれば、デッキボードは、枠材に対して斜め方向に並列されるから、フォークリフトの爪を四方のどの方向から挿入しても、挿入方向に対しても斜め方向に配列される。よって、パレットが四方差しの場合でも、運搬途中でデッキボード上の荷物が滑り落ちることはない。
【０００９】
請求項２記載の発明は、コーナーに位置する連結金物に支柱立設用の孔を形成し、この孔に支柱の下部を挿入し、この支柱の上部に上パレットを取付けて棚体に形成することを要旨とするものである。
【００１０】
請求項２記載の本発明によれば、コーナーに位置する連結金物に支柱立設用の孔を形成したから、この孔に支柱の下部を挿入し、この支柱の上部に上パレットを取付ければ、棚体が簡単に形成でき、パレットを棚としても有効に利用できる。
【発明の効果】
【００１１】
以上述べたように本発明のパレットは、デッキボードの配列方向を方形に組んだ枠材に対して斜め方向にしたから、パレットに対して四方向のいずれからフォークリフトの爪が挿入されても、デッキボード上の荷物が滑り落ちることを阻止でき、安定した状態で荷物を運搬でき、また、枠体を連結する四隅の連結金物に支柱を立設し、この上に別の上パレットをセットするだけの簡単な構造で棚板としても利用でき有効活用が図れるものである。
【発明を実施するための最良の形態】
【００１２】
以下、図面について本発明の実施形態を詳細に説明する。図１は本発明のパレットの実施形態を示す平面図、図２は同上要部であるデッキボードの平面図、図３は同上要部である枠材の平面図、図４は同上要部てある連結金物の平面図で、本発明のパレット１は、上面と下面の複数のデッキボード２、このデッキボード２を結合する周囲に四角形状に配置され、また、中心に十字状に配置される枠材３、および前記枠材３を結合する連結金物４とで構成される。
【００１３】
デッキボード２は、図２に示すようにアルミニウムなどの軽金属の押出型材による中空の長尺物を、斜め方向に順次切断して、長さの異なる４枚ものに分割したもので、各分割体２ａは平面横長の台形状に形成される。前記長尺物の状態でのデッキボード２は本発明では１台のパレット１について４本用意する。
【００１４】
また、このデッキボード２は、図８に示すように中空部に複数の縦リブ５が配設され、表面には図９に示すように滑り防止用の小さな突条６が長さ方向にそって複数並行に突設してある。
【００１５】
枠材３は、図３に示すように、上面側の四方に配設される４本の上部外枠材３ａと、下面側の四方に配設され各辺に２本ずつ配置される合計８本の下部外枠材３ｂと、前記上部外枠材３ａで方形に形成される上部の外枠内に十字状に配置され長尺な１本の長尺内枠材３ｃと、この長尺内枠材３ｃに直交する方向に配置される２本の短尺内枠材３ｄとで構成する。
【００１６】
これらの枠材３はいずれも図６、図７に示すようにアルミニウムなどの軽金属の押出型材を用いて中空に形成し、図示は省略するが、デッキボード２と同様に表面には滑り防止用の小さな突条を突設した。
【００１７】
連結金物４は、図４に示すように下部外枠材３ｂを各辺で連結するとともに、長尺内枠材３ｃおよび短尺内枠材３ｄのそれぞれの外側の端部が連結される外枠連結金物４ａと、長尺内枠材３ｃおよび短端内枠材３ｄを十字形の中心で連結する中央連結金物４ｂと、上部外枠材３ａおよび下部外枠材３ｂをコーナー部で連結するコーナー金物４ｃとで構成する。
【００１８】
前記外枠連結金物４ａは、図１４、図１５の斜視図に示すようにボックス形状の本体の上部をわずかな段部に形成してこの段部を上部外枠材３ａの固定載置部７とし、この固定載置部７の側部上方から、長尺内枠材３ｃおよび短尺内枠材３ｄのそれぞれの外側の端部が連結される連結用のボックス形状の突起を突設し、この突起を嵌合部８とする。
【００１９】
嵌合部８の外形は、長尺内枠材３ｃおよび短尺内枠材３ｄの内形に等しく形成しておく。
【００２０】
前記本体の側部下方から側方に向けて下部外枠材３ｂの端部が連結されるボックス形状の突起を形成し、この突起を嵌合部９とする。この嵌合部９の外形も下部外枠材３ｂの内形に等しく形成する。
【００２１】
中央連結金物４ｂは、図１０、図１１に示すように円筒状の本体の上側部から４方向に向けて長尺内枠材３ｃの中央部を支持するとともに、短尺内枠材３ｄの端部を連結する樋状の支持突起を嵌合部１０として突設した。この嵌合部１０の内形は長尺内枠材３ｃおよび短端内枠材３ｄの外形に等しく形成する。
【００２２】
コーナー金物４ｃは、図１２、図１３に示すように略４分の１円形状の本体の上部両側部から上部外枠材３ａの端部が連結するボックス形状の突起を嵌合部１１として突設し、下部両側部から下部外枠材３ｂの端部が連結するボックス形状の突起を嵌合部１２として突設した。
【００２３】
嵌合部１１、１２の外形は上部外枠材３ａおよび下部外枠材３ｂの内形に等しく形成する。
【００２４】
また、コーナー金物４ｃの本体の中央に後述の支柱を立設するための支持孔１３を形成する。
【００２５】
かかる複数のデッキボード２、枠材３、および連結金物４を用いてパレット１を組み立てるには、中央連結金物４ｂに設けた４方向に向けて突出する嵌合部１０の一対で長尺内枠材３ｃの中央部を支持するとともに、短尺内枠材３ｄの端部を残りの嵌合部１０に結合して、長尺内枠材３ｃと短尺内枠材３ｄとを十字形に組み立てる。
【００２６】
そして、長尺内枠材３ｃと短尺内枠材３ｄの外側端部に外枠連結金物４ａに形成してある嵌合部８を嵌合して、長尺内枠材３ｃと短尺内枠材３ｄに外枠連結金物４ａを取付ける。
【００２７】
さらに、下部外枠材３ｂの一方の端部を外枠連結金物４ａの嵌合部９に連結し、２本の下部外枠材３ｂを外枠連結金物４ａで連結する。また、上部外枠材３ａの中央を外枠連結金物４ａの固定載置部７上に設置する。
【００２８】
こうして連結した下部外枠材３ｂと、長尺な上部外枠材３ａのそれぞれの端部をコーナー金物４ｃの嵌合部１２と嵌合部１１とにそれぞれ嵌合して全体を四角形状に組み立てる。
【００２９】
そして、分割体２ａで構成するデッキボード２の前記分割体２ａを上部外枠材３ａと、長尺内枠材３ｃと短尺内枠材３ｄとで囲まれた四角形状の空隙内に枠材に対して斜め方向に間隔を置いて溶接などにより結合する。
【００３０】
この状態で、デッキボード２の上に形成してある突条６も枠材に対して斜め方向に位置する。なお、この滑り防止用の部材は前記突条６に限定されるものではなく、溝条とすることもできる。
【００３１】
よって、デッキボード２の上に荷物を載置して移動すれば、パレット１に対して４方向のいずれの方向からフォーク爪を挿入しても、パレット１の移動方向に対して突条６が斜め方向に位置するから、デッキボード２上の荷物は、突条６により滑り落ちることを阻止される。
【００３２】
本発明のパレット１は基本的にはこのように荷物の搬送用に使用するが、図１６に示す上パレット１４と、コーナー金物４ｃに形成した支持孔１３に立設する支柱１５とを別途用意し、支柱１５を支持孔１３に挿入しパレット１の四隅から立設し、この支柱１５の上端に前記パレット１４を設置すれば、２段の棚１６として利用できる。
【図面の簡単な説明】
【００３３】
【図１】本発明のパレットの実施形態を示す平面図である。
【図２】本発明のパレットの実施形態を示す要部のデッキボードの平面図である。
【図３】本発明のパレットの実施形態を示す要部の枠材の平面図である。
【図４】本発明のパレットの実施形態を示す要部の連結金物の平面図である。
【図５】本発明のパレットの実施形態を示す正面図である。
【図６】本発明のパレットの実施形態を示す上部外枠材および下部外枠材の縦断側面図である。
【図７】本発明のパレットの実施形態を示す長尺内枠材および短尺内枠材の縦断側面図である。
【図８】本発明のパレットの実施形態を示すデッキボードの縦断側面図である。
【図９】本発明のパレットの実施形態を示す枠材およびデッキボードの上面部分の側面図である。
【図１０】本発明のパレットの実施形態を示す中央連結金物の上面側の斜視図である。
【図１１】本発明のパレットの実施形態を示す中央連結金物の下面側の斜視図である。
【図１２】本発明のパレットの実施形態を示すコーナー金物の上面側の斜視図である。
【図１３】本発明のパレットの実施形態を示すコーナー金物の下面側の斜視図である。
【図１４】本発明のパレットの実施形態を示す外枠連結金物の上面側の斜視図である。
【図１５】本発明のパレットの実施形態を示す外枠連結金物の下面側の斜視図である。
【図１６】本発明のパレットの実施形態を示す上パレットの平面図である。
【図１７】本発明のパレットの実施形態を示す棚に組み立てた状態の正面図である。
【符号の説明】
【００３４】
１  パレット                    ２  デッキボード
２ａ  分割体                    ３  枠材
３ａ  上部外枠材                ３ｂ  下部外枠材
３ｃ  長尺内枠材                ３ｄ  短尺内枠材
４  連結金物                    ４ａ  外枠連結金物
４ｂ  中央連結金物              ４ｃ  コーナー金物
５  縦リブ                      ６  突条
７  固定載置部                  ８、９、１０、１１、１２  嵌合部
１３  支持孔                    １４  上パレット
１５  支柱                      １６  棚
【図１】
2008100726.tif 000003
【図２】
2008100726.tif 000004
【図３】
2008100726.tif 000005
【図４】
2008100726.tif 000006
【図５】
2008100726.tif 000007
【図６】
2008100726.tif 000008
【図７】
2008100726.tif 000009
【図８】
2008100726.tif 000010
【図９】
2008100726.tif 000011
【図１０】
2008100726.tif 000012
【図１１】
2008100726.tif 000013
【図１２】
2008100726.tif 000014
【図１３】
2008100726.tif 000015
【図１４】
2008100726.tif 000016
【図１５】
2008100726.tif 000017
【図１６】
2008100726.tif 000018
【図１７】
2008100726.tif 000019